【手続補正書】
【提出日】平成17年6月16日(2005.6.16)
【手続補正１】
【補正対象書類名】明細書
【補正対象項目名】発明の名称
【補正方法】変更
【補正の内容】
【発明の名称】発光装置
【手続補正２】
【補正対象書類名】明細書
【補正対象項目名】特許請求の範囲
【補正方法】変更
【補正の内容】
【特許請求の範囲】
【請求項１】
発光素子を備えた画素を有し、
前記画素はｎチャネル型の第１及び第２のトランジスタと保持容量とから構成されるカレントミラー回路を有する発光装置であって、
前記保持容量に蓄積された電荷により前記第２のトランジスタがオンとなり、前記発光素子が発光する表示期間では、前記第１のトランジスタのドレインはフローティングであり、
前記保持容量に蓄積された電荷は、前記第１のトランジスタのゲートとドレインが接続され、且つ前記第２のトランジスタのゲートとドレインが接続された後、前記第１のトランジスタのドレインからソースへ電流が流れ、前記第２のトランジスタのドレインからソースへ電流が流れ、前記第１のトランジスタのゲートとドレインとの接続が切断され、且つ前記第２のトランジスタのゲートとドレインとの接続が切断されるまでに蓄積される
ことを特徴とする発光装置。
【請求項２】
ｎチャネル型の第１のトランジスタと、ｎチャネル型の第２のトランジスタと、保持容量と、発光素子とを有し、
前記第１のトランジスタのゲートは前記第２のトランジスタのゲートと接続され、
前記保持容量の一方の電極は前記第２のトランジスタのソース及び前記第１のトランジスタのソースと接続され、
前記保持容量の他方の電極は前記第１のトランジスタのゲート及び前記第２のトランジスタのゲートと接続され、
前記第２のトランジスタのソースは前記発光素子の画素電極と接続された発光装置であって、
前記保持容量に蓄積された電荷により前記第２のトランジスタがオンとなり、前記発光素子が発光する表示期間では、前記第１のトランジスタのドレインはフローティングであり、
前記保持容量に蓄積された電荷は、前記第１のトランジスタのゲートとドレインが接続され、且つ前記第２のトランジスタのゲートとドレインが接続された後、前記第１のトランジスタのドレインからソースへ電流が流れ、前記第２のトランジスタのドレインからソースへ電流が流れ、前記第１のトランジスタのゲートとドレインとの接続が切断され、且つ前記第２のトランジスタのゲートとドレインとの接続が切断されるまでに蓄積される
ことを特徴とする発光装置。
【請求項３】
ｎチャネル型の第１のトランジスタと、ｎチャネル型の第２のトランジスタと、保持容量と、発光素子とを有し、
前記第１のトランジスタのゲートは前記第２のトランジスタのゲートと接続され、
前記保持容量の一方の電極は前記第２のトランジスタのソース、及び前記第１のトランジスタのソースと接続され、
前記保持容量の他方の電極は前記第１のトランジスタのゲート及び前記第２のトランジスタのゲートと接続され、
前記第２のトランジスタのソースは前記発光素子の画素電極と接続された発光装置であって、
前記保持容量に蓄積された電荷により前記第２のトランジスタがオンとなり、前記発光素子が発光する表示期間では、前記第１のトランジスタのドレインはフローティングであり、
前記保持容量に蓄積された電荷は、前記第１のトランジスタのゲートとドレインが接続され、且つ前記第２のトランジスタのゲートとドレインが接続された後、前記第１のトランジスタのドレインからソースへ電流が流れ、前記第２のトランジスタのドレインからソースへ電流が流れ、前記第１のトランジスタのゲートとドレインとの接続が切断され、且つ前記第２のトランジスタのゲートとドレインとの接続が切断されるまでに蓄積されるように、
前記第１のトランジスタのソースと、前記発光素子の輝度に対応した信号電流が流れる信号線との間の接続を選択するように第３のトランジスタが、
前記第１のトランジスタのゲート及び前記第２のトランジスタのゲートと、前記第１のトランジスタのドレイン及び前記第２のトランジスタのドレインとの間の接続を選択するように第４のトランジスタが、
前記第１のトランジスタのソースと、前記第２のトランジスタのソースとの間の接続を選択するように第５のトランジスタが、
前記第２のトランジスタのソースと、前記発光素子の画素電極との間の接続を選択するように第６のトランジスタがそれぞれ設けられた
ことを特徴とする発光装置。
【請求項４】
ｎチャネル型の第１のトランジスタと、ｎチャネル型の第２のトランジスタと、保持容量と、発光素子とを有し、
前記第１のトランジスタのゲートは前記第２のトランジスタのゲートと接続され、
前記保持容量の一方の電極は前記第２のトランジスタのソース、及び前記第１のトランジスタのソースと接続され、
前記保持容量の他方の電極は前記第１のトランジスタのゲート及び前記第２のトランジスタのゲートと接続され、
前記第２のトランジスタのドレインは前記発光素子の画素電極と接続され、
前記第１のトランジスタのソースと、前記発光素子の輝度に対応した信号電流が流れる信号線との間の接続を選択するように第３のトランジスタが、
前記第１のトランジスタのゲート及び前記第２のトランジスタのゲートと、前記第１のトランジスタのドレイン及び前記第２のトランジスタのドレインとの間の接続を選択するように第４のトランジスタが、
前記第１のトランジスタのソースと、前記第２のトランジスタのソースとの間の接続を選択するように第５のトランジスタが、
前記第２のトランジスタのソースと、前記発光素子の画素電極との間の接続を選択するように第６のトランジスタがそれぞれ設けられ、
前記発光素子が発光する表示期間では、前記第３のトランジスタ、前記第４のトランジスタ、及び前記第５のトランジスタはオフであり、且つ前記第６のトランジスタはオンであり、
前記保持容量に電荷を蓄積する間は、前記第３のトランジスタ、前記第４のトランジスタ、及び前記第５のトランジスタはオンであり、且つ前記第６のトランジスタはオフであることを特徴とする発光装置。
【請求項５】
発光素子を備えた画素を有し、
前記画素はｐチャネル型の第１及び第２のトランジスタと保持容量とから構成されるカレントミラー回路を有する発光装置であって、
前記保持容量に蓄積された電荷により前記第２のトランジスタがオンとなり、前記発光素子が発光する表示期間では、前記第１のトランジスタのドレインはフローティングであり、
前記保持容量に蓄積された電荷は、前記第１のトランジスタのゲートとドレインが接続され、且つ前記第２のトランジスタのゲートとドレインが接続された後、前記第１のトランジスタのソースからドレインへ電流が流れ、前記第２のトランジスタのソースからドレインへ電流が流れ、前記第１のトランジスタのゲートとドレインとの接続が切断され、且つ前記第２のトランジスタのゲートとドレインとの接続が切断されるまでに蓄積される
ことを特徴とする発光装置。
【請求項６】
ｐチャネル型の第１のトランジスタと、ｐチャネル型の第２のトランジスタと、保持容量と、発光素子とを有し、
前記第１のトランジスタのゲートは前記第２のトランジスタのゲートと接続され、
前記保持容量の一方の電極は前記第２のトランジスタのソース、及び前記第１のトランジスタのソースと接続され、
前記保持容量の他方の電極は前記第１のトランジスタのゲート及び前記第２のトランジスタのゲートと接続され、
前記第２のトランジスタのドレインは前記発光素子の画素電極と接続された発光装置であって、
前記保持容量に蓄積された電荷により前記第２のトランジスタがオンとなり、前記発光素子が発光する表示期間では、前記第１のトランジスタのドレインはフローティングであり、
前記保持容量に蓄積された電荷は、前記第１のトランジスタのゲートとドレインが接続され、且つ前記第２のトランジスタのゲートとドレインが接続された後、前記第１のトランジスタのソースからドレインへ電流が流れ、前記第２のトランジスタのソースからドレインへ電流が流れ、前記第１のトランジスタのゲートとドレインとの接続が切断され、且つ前記第２のトランジスタのゲートとドレインとの接続が切断されるまでに蓄積される
ことを特徴とする発光装置。
【請求項７】
ｐチャネル型の第１のトランジスタと、ｐチャネル型の第２のトランジスタと、保持容量と、発光素子とを有し、
前記第１のトランジスタのゲートは前記第２のトランジスタのゲートと接続され、
前記保持容量の一方の電極は前記第２のトランジスタのソース、及び前記第１のトランジスタのソースと接続され、
前記保持容量の他方の電極は前記第１のトランジスタのゲート及び前記第２のトランジスタのゲートと接続され、
前記第２のトランジスタのドレインは前記発光素子の画素電極と接続された発光装置であって、
前記保持容量に蓄積された電荷により前記第２のトランジスタがオンとなり、前記発光素子が発光する表示期間では、前記第１のトランジスタのドレインはフローティングであり、
前記保持容量に蓄積された電荷は、前記第１のトランジスタのゲートとドレインが接続され、且つ前記第２のトランジスタのゲートとドレインが接続された後、前記第１のトランジスタのソースからドレインへ電流が流れ、前記第２のトランジスタのソースからドレインへ電流が流れ、前記第１のトランジスタのゲートとドレインとの接続が切断され、且つ前記第２のトランジスタのゲートとドレインとの接続が切断されるまでに蓄積されるように
前記第１のトランジスタのドレインと、前記発光素子の輝度に対応した信号電流が流れる信号線との間の接続を選択するように第３のトランジスタが、
前記第１のトランジスタのゲート及び前記第２のトランジスタのゲートと、前記信号線との間の接続を選択するように第４のトランジスタが、
前記第１のトランジスタのドレインと、前記第２のトランジスタのドレインとの間の接続を選択するように第５のトランジスタが、
前記第２のトランジスタのドレインと、前記発光素子の画素電極との間の接続を選択するように第６のトランジスタがそれぞれ設けられた
ことを特徴とする発光装置。
【請求項８】
ｐチャネル型の第１のトランジスタと、ｐチャネル型の第２のトランジスタと、保持容量と、発光素子とを有し、
前記第１のトランジスタのゲートは前記第２のトランジスタのゲートと接続され、
前記保持容量の一方の電極は前記第２のトランジスタのソース、及び前記第１のトランジスタのソースと接続され、
前記保持容量の他方の電極は前記第１のトランジスタのゲート及び前記第２のトランジスタのゲートと接続され、
前記第２のトランジスタのドレインは前記発光素子の画素電極と接続され、
前記第１のトランジスタのドレインと、前記発光素子の輝度に対応した信号電流が流れる信号線との間の接続を選択するように第３のトランジスタが、
前記第１のトランジスタのゲート及び前記第２のトランジスタのゲートと、前記信号線との間の接続を選択するように第４のトランジスタが、
前記第１のトランジスタのドレインと、前記第２のトランジスタのドレインとの間の接続を選択するように第５のトランジスタが、
前記第２のトランジスタのドレインと、前記発光素子の画素電極との間の接続を選択するように第６のトランジスタがそれぞれ設けられ、
前記発光素子が発光する表示期間では、前記第３のトランジスタ、前記第４のトランジスタ、及び前記第５のトランジスタはオフであり、且つ前記第６のトランジスタはオンであり、
前記保持容量に電荷を蓄積する間は、前記第３のトランジスタ、前記第４のトランジスタ、及び前記第５のトランジスタはオンであり、且つ前記第６のトランジスタはオフであることを特徴とする発光装置。